(57)【要約】【課題】プリズム２焦点ソフトコンタクトレンズにおいて、２つまたはそれ以上のプリズムを同一のレンズに組み込むことにより、遠くおよび近くの物体についての最適な視覚を提供する。【解決手段】１つまたは複数の主プリズム（１２）を使用して、眼の上のレンズの所望の鉛直方向の位置決めを達成し、経線方向の回転を制御する。それに加え、所望の時点でコンタクトレンズ（１０）の所望の光学パワーゾーン（１６、１７）が眼の入射瞳（２６）の前方にくるように、１つまたは複数の補助プリズム（１４）を使用して鉛直方向のレンズシフトを達成する。【選択図】図１
2005502072.tif 000002
【特許請求の範囲】
【請求項１】
少なくとも１種類の光学材料で形成された、所定の直径および端部を有するコンタクトレンズであって、
全体的に凹形の背面と、
前記端部のところで前記背面に接合している、全体的に凸形の前面とを含んでおり、
前記コンタクトレンズが、前記レンズ径にほぼ等しい直径の主プリズムを含んでおり、前記コンタクトレンズを眼に装着すると、前記主プリズムが、全体的に前記眼の上の前記コンタクトレンズの鉛直方向の位置決めを制御し、さらに全体的に前記眼の角膜輪部の平面内の前記コンタクトレンズの経線方向の回転を制御し、
前記前面の中心には、外周を有する補助プリズムが配置され、前記前面の周辺部には、前記レンズ端部に全体的に一致する外周を有するレンズ状領域が配置され、前記レンズ状領域が、前記補助プリズムの前記外周から前記レンズ状領域の前記外周へと広がっており、
前記補助プリズムが、プリズム出力に加えて、少なくとも一部には、球面、非球面、および球面円柱の出力から成る区分から選択される光学パワーを含んでおり、
前記補助プリズムがその最も厚い部分に基底部を含んでおり、前記補助プリズムの前記基底部に隣接する前記レンズ状領域の部分から、前記基底部が外方向に広がっており、
前記コンタクトレンズを前記眼の上に装着すると、前記レンズ状領域の一部分が前記眼の下瞼の下の位置を占め、前記補助プリズムの前記基底部が前記下瞼のほぼ縁部の位置を占めるので、前記眼が全体的に鉛直方向に動くと、前記下瞼から力を受けた結果として前記レンズに全体的に鉛直方向の動きが加わるコンタクトレンズ。
【請求項２】
前記補助プリズムが基底部を有しており、前記レンズ状領域の、前記補助プリズムの前記基底部に隣接した部分から、前記基底部が一部には外方向に、一部には内方向に広がっている、請求項１に記載のコンタクトレンズ。
【請求項３】
前記補助プリズムの前記基底部が、レンズ装着者の下瞼から前記基底部に力を加えることができるような形状を有しており、前記基底部の形状が、円形、非円形、傾斜した形状、扁平な形状、および角度をもった形状から成る区分から選択される、請求項１に記載のコンタクトレンズ。
【請求項４】
前記レンズ状領域の前記表面の一部分が角度をもって、第２主プリズムを形成している、請求項１に記載のコンタクトレンズ。
【請求項５】
前記コンタクトレンズの少なくとも１つの表面が、球面、非球面、および円環面から成る区分から選択される、請求項１に記載のコンタクトレンズ。
【請求項６】
前記背面が少なくとも２つの光学パワーの２焦点部分を含む、請求項１に記載のコンタクトレンズ。
【請求項７】
前記前面が少なくとも２つの光学パワーの２焦点部分を含んでおり、前記２焦点部分が前記補助プリズムの少なくとも一部分に及んでいる、請求項１に記載のコンタクトレンズ。
【請求項８】
少なくとも１種類の光学材料で形成された、所定の直径および端部を有するコンタクトレンズであって、
全体的に凹形の背面と、
前記端部のところで前記背面に接合している、全体的に凸形の前面とを含んでおり、
前記コンタクトレンズが、光学パワーによって生み出される厚さの差に加えて、前記コンタクトレンズを横切る厚さの差を有しており、眼の上の前記コンタクトレンズの鉛直方向の位置決めを制御する手段を提供し、さらに、前記眼の角膜輪部の全体的な平面内の前記コンタクトレンズの経線方向の回転を制御し、
前記前面の中心には、外周を有する補助プリズムが配置され、前記前面の周辺部には、前記レンズ端部に全体的に一致する外周を有するレンズ状領域が配置され、前記レンズ状領域が、前記補助プリズムの前記外周から前記レンズ状領域の前記外周へと広がっており、
前記補助プリズムが、プリズム出力に加えて、少なくとも一部には、球面、非球面、および球面円柱の出力から成る区分から選択される光学パワーを含んでおり、
前記補助プリズムがその最も厚い部分に基底部を含んでおり、前記レンズ状領域の、前記補助プリズムの前記基底部に隣接した部分から、前記基底部が外方向に広がっており、
前記コンタクトレンズを前記眼の上に装着すると、前記レンズ状領域の一部分が前記眼の下瞼の真下の位置を占め、前記補助プリズムの前記基底部が前記下瞼のほぼ縁部の位置を占めるので、前記眼が全体的に鉛直方向に動くと、前記下瞼から力を受けた結果として前記レンズに全体的に鉛直方向の動きが加わるコンタクトレンズ。
【請求項９】
前記補助プリズムが基底部を有しており、前記レンズ状領域の、前記補助プリズムの前記基底部に隣接した部分から、前記基底部が一部には外方向に、一部には内方向に広がっている、請求項８に記載のコンタクトレンズ。
【請求項１０】
前記補助プリズムの前記基底部が、レンズ装着者の下瞼から前記基底部に力を加えることができるような形状を有しており、前記基底部の形状が、円形、非円形、傾斜した形状、扁平な形状、および角度をもった形状から成る区分から選択される、請求項８に記載のコンタクトレンズ。
【請求項１１】
前記レンズ状領域の前記表面の一部分が角度をもって、第２主プリズムを形成している、請求項８に記載のコンタクトレンズ。
【請求項１２】
少なくとも１つの表面が、球面、非球面、および円環面から成る区分から選択される、請求項８に記載のコンタクトレンズ。
【請求項１３】
前記背面が少なくとも２つの光学パワーの２焦点部分を含む、請求項８に記載のコンタクトレンズ。
【請求項１４】
前記前面が少なくとも２つの光学パワーの２焦点部分を含んでおり、前記２焦点部分が前記補助プリズムの少なくとも一部分に及んでいる、請求項８に記載のコンタクトレンズ。
【請求項１５】
コンタクトレンズを製造する方法であって、
光学材料のレンズ用ボタン状部材を提供する工程と、
回転軸を有する旋盤を用いて、前記レンズ用ボタン状部材上に所定の半径の背面を形成する工程であって、前記背面が、前記旋盤の前記軸上にある曲率中心を含む工程と、
前記旋盤を用いて、前記レンズ用ボタン状部材上に、外周位置を有するレンズ状領域を含む前面を形成する工程であって、前記レンズ状領域が、所定の半径と、前記旋盤の前記軸から所定の量ずれた曲率中心とを含む工程と、
前記旋盤を用いて前記前面上に補助プリズムを形成する工程であって、前記補助プリズムが、中心位置を有し、前記レンズ状領域の前記ずれよりも大きい所定の量だけ前記旋盤の前記軸からずれた所定の半径と曲率中心を含んでいるので、前記補助プリズムの、前記レンズ状領域に隣接した部分から外方向に広がる、前記補助プリズムのための基底部が形成される工程とを含む方法。
【請求項１６】
前記旋盤がコンピュータ制御装置を備えており、前記コンタクトレンズの前記前面および前記背面を表すポイントファイルを前記コンピュータによって読み取り、それを使用して前記コンタクトレンズを形成する、請求項１５に記載のコンタクトレンズの製造方法。
【請求項１７】
初めに前記コンタクトレンズの前記前面および前記背面の逆凹凸形をした複数の金型を形成し、前記金型から成形プロセスによって前記コンタクトレンズの複製を生産する、請求項１５に記載のコンタクトレンズの製造方法。
【発明の詳細な説明】
【技術分野】
【０００１】
本発明は、一般にコンタクトレンズに関し、詳細には、少なくとも１つの主プリズムと１つの補助プリズムとが存在する２焦点コンタクトレンズに関する。
【背景技術】
【０００２】
２焦点コンタクトレンズは、しばしばゾーンと呼ばれる、光学パワー（ｏｐｔｉｃａｌ  ｐｏｗｅｒ）の異なる２つまたはそれ以上の領域を含むレンズである。遠用出力ゾーンは、装着者の遠位視覚のための光学パワーを提供し、時にセグメントと呼ばれる近用出力ゾーンは、装着者の近位視覚のための光学パワーを提供する。この２つのゾーンは、出力の異なる追加的なゾーンに細分することができ、あるいは組み合わせて可変出力ゾーンにすることもでき、その場合、２焦点コンタクトレンズを、米国特許第５，５１７，２６０号および５，７５４，２７０号のように多焦点レンズとも呼ぶことができるが、以下に記載するのと同じ原理が当てはまる。
【０００３】
網膜像と、その結果得られる視覚認知とは、入射瞳を通って眼に進入する光に依存する。２焦点コンタクトレンズが正しく機能するには、眼が遠くの物体を観察するときには、レンズの遠用出力ゾーンによって入射瞳を少なくとも部分的に、またはより効果的には完全に覆わなければならず、眼が近くの物体を観察するときには、レンズの近用出力ゾーンによって入射瞳を少なくとも部分的に、またはより効果的には完全に覆わなければならない。この機能は、眼が遠くの物体と近くの物体を交互に見るときに、コンタクトレンズの鉛直方向のシフト作用または並進を起こして、あるゾーンまたはその他のゾーンを入射瞳の正面に置く、交代視（ａｌｔｅｒｎａｔｉｎｇ  ｖｉｓｉｏｎ）の原理によって達成することができる（Ｍａｎｄｅｌｌ（１９８８）、ＲｕｂｅｎおよびＧｕｉｌｌｏｎ（１９９４））。
【０００４】
あるいは、同時視（ｓｉｍｕｌｔａｎｅｏｕｓ ｖｉｓｉｏｎ）として知られる原理を利用することもでき、遠用および近用出力ゾーンの一部またはすべてを入射瞳の正面に同時に位置決めして、それぞれが同時に網膜像を与えるように、コンタクトレンズが設計／適合されている。後者の場合、レンズが鉛直方向のシフト作用を起こす必要はほとんどまたはまったくない。しかし、同時視には、一度に２つの像が見られ、遠用／近用ゾーンからの光によって形成される２つの網膜像の少なくとも１つの焦点が常にずれていて、視覚に欠陥が生じるという欠点がある（Ｍａｎｄｅｌｌ（１９８８）、ＲｕｂｅｎおよびＧｕｉｌｌｏｎ（１９９４））。
【０００５】
２焦点コンタクトレンズは、一般に、セグメント型と同心円型の２つのタイプに分類される。セグメント型２焦点コンタクトレンズには、必ずしもこれだけに限るものではないが、通常は米国特許第３，５９７，０５５号および３，６８４，３５７号に記載の交代視原理によって機能する、鉛直方向に隔てられた２つまたはそれ以上の出力ゾーンが設けられている。同心円型２焦点コンタクトレンズには、必ずしもこれだけに限るものではないが、通常は米国特許第４，６３６，０４９号、４，７５２，１２３号、４，８６９，５８７号、および５，８６４，３７９号に記載の同時視原理によって機能する、中心の出力ゾーンと、１つまたは複数の環状の出力ゾーンとが設けられている。遠用および近用出力ゾーンが、任意の遷移曲線と合わせて、２焦点領域を構成する。レンズ表面の残りの部分は、レンズ状曲線、切頭形（ｔｒｕｎｃａｔｉｏｎ）、スラブオフ（ｓｌａｂ  ｏｆｆ）、さまざまな端面外形など、レンズ形状を仕上げるのに使用される１つまたはそれ以上の選択肢から構成される。
【０００６】
セグメント型２焦点コンタクトレンズには、円形、Ｄ形、平面形、三日月形、ならびに１９９２年Ｃｏｎｋｌｉｎ  Ｊｒ．らによる文献および米国特許第５，０７４，０８２号に記載のその他の形状を含む近用出力ゾーンの形状に基づいた、いくつかのサブタイプがある。近用出力ゾーンは、通常、レンズ下部に置かれており、米国特許第４，０９５，８７８号、４，２６８，１３３号、５，７６０，８７０号、５，２９６，８８０号、および４，５７３，７７５号に記載のような、レンズ位置の制御ならびに経線方向の回転の安定化を試みてレンズに組み込むことのできるさまざまな機構によってその位置に維持される。これは、２焦点ハードコンタクトレンズでは、通常、レンズにプリズムを組み込むことによって達成され、その場合、レンズの下部が比較的厚く、上部が比較的薄くなる。プリズムは、米国特許第５，４３０，５０４号および４，８５４，０８９号、ならびにＢｕｒｒｉｓ（１９９３）、Ｂｉｅｒｌｙ（１９９５）、およびＣｏｎｋｌｉｎ  Ｊｒ．ら（１９９２）に記載されているように、所望のレンズ向きを維持し、レンズの近用出力ゾーンを下方に保つ働きをする。
【０００７】
プリズム２焦点ハードコンタクトレンズでは、レンズの下端が下瞼の上縁に位置する傾向にある。装着者が遠くの物体を見るときには、遠用出力ゾーンが理想的には眼の入射瞳を覆うように位置決めされ、近用出力ゾーンが重力と上瞼の下向きの力とによって入射瞳よりも下方に位置決めされる（Ｆｏｒｓｔ（１９８７））。読書または近くを見る他の作業では、眼が下方に回転し、コンタクトレンズが理想的には眼に対して上方にシフトして、近用出力ゾーンを入射瞳の少なくとも一部分の正面の位置に移動させ、近位視覚のための光学補正を与える。
【０００８】
ハードレンズで使用されているのと同様の構造を有する、プリズム２焦点ソフトコンタクトレンズを設計する試みがなされてきた。しかし、２焦点ソフトコンタクトレンズは、ハードコンタクトレンズよりもはるかに大きく、通常は１３〜１５ｍｍであり、眼の角膜輪部（ｌｉｍｂｕｓ）を越えたところまで及ぶことが多い。プリズム２焦点ソフトコンタクトレンズを装着しているときには、レンズの厚くなっている部分が下方に移動して、下瞼の真下の位置になる。結果として、レンズが下瞼の上縁によって支持または固定されない。したがって、プリズムコンポーネントは、プリズム２焦点ソフトコンタクトレンズを所望の低い位置にうまく移動させ、経線方向の回転をうまく制御するが、遠くの物体と近くの物体との間で視線を往復させるときにレンズを鉛直方向にうまくシフトさせることができない。
【０００９】
成功したとする報告がこれまでにいくつかあったが、現在のプリズム２焦点ソフトコンタクトレンズは、交代視原理を実現するのに十分な鉛直方向のシフト作用を備えておらず、したがって遠見および近見のための許容可能な視覚が提供されない（Ｍａｎｄｅｌｌ（１９８８）、ＲｕｂｅｎおよびＧｕｉｌｌｏｎ（１９９４））。いくつかのプリズム２焦点ソフトコンタクトレンズが開発され、市場に持ち込まれてきたが、その後結果的には中止された。このタイプのソフトコンタクトレンズは、米国特許第４，５４９，７９４号、５，６３５，９９８号、４，６１８，２２９号、および５，１４１，３０１号に記載されている。筆者の知る限り、交代視原理によって機能し、最適な視覚を提供する、２焦点ソフトコンタクトレンズは存在しない。
【００１０】
今日入手可能なほとんどの２焦点ソフトコンタクトレンズは、同心円型２焦点タイプであり、同時視の原理に従って機能する（Ｎｏｒｍａｎ（１９９５）、Ｂｕｒｒｉｓ（１９９３））。これらのレンズが、遠見および近見のための良好な視覚を提供せず、また最適とはいえない視覚を進んで受け入れる人々だけにうまく装着されていることが認識されている。
【００１１】
レンズの下方の周辺部に機構を追加することによって、２焦点ソフトコンタクトレンズを鉛直方向にシフトさせようとする試みがなされてきた。米国特許第６，１０９，７４９号は、レンズの並進に役立つように一体形成されたベベル（ｂｅｖｅｌ）を有する２焦点ソフトコンタクトレンズを記載している。ベベル部分は、上方および下方ショルダを有しており、これらが１つになって拡張ベベルを形成する。ベベルは、レンズの光学部分の一部を形成するものではない。このレンズでは、構造に単一のプリズムを組み込むことができる。米国特許第５，６３５，９９８号は、単一のプリズムを有する楕円形の多焦点コンタクトレンズを示しており、これらを併せてプリズムの基底部分と下眼瞼との間の細長い接触ゾーンを生み出している。米国特許第５，９１２，７１９号および欧州特許第００４２０２３号は、周辺領域で外表面から局所的に突き出ている眼瞼（瞼）ボスを含むレンズを示しており、各眼瞼ボスが、円周方向に全体的に細長く、限られた寸法の稜線（クレストライン）を備えている。この稜線は、中央の領域にピークを有する。米国特許第４，６１４，４１３号は、眼瞼のアンカーの働きをするレンズ状キャリアを備えたレンズを記載している。
【００１２】
これまでのコンタクトレンズは、２焦点領域内の遠用ゾーンと近用ゾーンとの間の滑らかな遷移を達成することを考えずに、２つ以上のプリズムを備えて作製されてきた。米国特許第４，８５４，０８９号は、基底部の曲線に第１プリズムコンポーネントが組み込まれ、遠位視覚曲線に第２プリズムコンポーネントが組み込まれている、２焦点コンタクトレンズを記載している。その第２プリズムは、レンズのシフトまたは並進を向上させるようには設計されておらず、第２プリズムの基底部で前方に広がっていないので、下瞼に接触せず、レンズのシフト機能を増大させない。
【発明の開示】
【発明が解決しようとする課題】
【００１３】
本発明の目的は、レンズシフトを改善し、その結果として装着者に遠くおよび近くの物体を見る最適な視覚を与える、２焦点ソフトコンタクトレンズを提供することである。
本発明の他の目的は、装着者に最大限の快適性を与えるように、軟質または可撓性材料の２焦点コンタクトレンズを作製することである。
【００１４】
本発明の他の目的は、ある光学パワーまたは他の光学パワーを所望の時点で眼に提供するように、鉛直方向のシフトまたは並進運動を開始させることを目的として眼および瞼の解剖学的構造をうまく利用する、２焦点ソフトコンタクトレンズを提供することである。
【００１５】
本発明の他の目的は、これまでの２焦点ソフトコンタクトレンズよりも良好な結像特性を有する２焦点コンタクトレンズを提供することである。
本発明の他の目的は、標準的な旋削または成形技術を用いて比較的安価に製造される、２焦点ソフトコンタクトレンズを提供することである。
【００１６】
本発明の他の目的は、２焦点コンタクトレンズを装着できる受容者数を拡大させることである。
【課題を解決するための手段】
【００１７】
本発明では、異なる構造および機能を備え、合わせて作用する、２つまたはそれ以上のプリズムを同一のレンズに組み込むことによって、これまでのプリズム２焦点ソフトコンタクトレンズの鉛直方向シフトの欠如を補正する。１つまたは複数の主プリズムが、遠見時の眼の上のレンズの所望の鉛直位置を与え、角膜の外周、すなわち角膜輪部の平面内での経線方向の回転を制御する。それに加え、隣接したレンズ表面から前方に広がる基底部を備えた１つまたは複数の補助プリズムがレンズの鉛直方向のシフト、すなわち並進運動を与えるので、コンタクトレンズの所望の光学パワーゾーンが所望の時点で眼の入射瞳の正面に移動する。このレンズは、通常、レンズの遠用出力ゾーンが最上部、近用出力ゾーンが最下部の所定の位置にくる、セグメント化された２焦点領域を１つの表面上に含むが、他の２焦点構造と同様に、眼の上のコンタクトレンズのシフトまたは並進運動が２焦点領域内の出力効果を変化させる同心円型２焦点を使用することもできる。
【発明の効果】
【００１８】
本発明の２焦点ソフトコンタクトレンズの利点は、装着者に、良好な快適性と共に、遠位および近位視覚のための最適視覚を与えることである。
本発明の他の目的および利点は、図面および以下の説明を考慮すれば明らかになろう。
【発明を実施するための最良の形態】
【００１９】
以下の説明では、本発明について、レンズ設計で実施されるように、コンタクトレンズが屈折力、主プリズム、および補助プリズムを含む別個のコンポーネントに分かれるものであるかのように説明する。これによって本発明のコンポーネントの識別が可能になるが、実際にはこれらのコンポーネントは、分割不可能な単一レンズ構造に組み合わされる。
【００２０】
図１は、本発明による２焦点コンタクトレンズ１１の前面１０の平面図であり、コンタクトレンズ１１すべてを取り囲む１つの主プリズム１２と、外周１５によって限られた１つの補助プリズム１４とを有する。前面１０は、接合部１８によって隔てられた遠用出力ゾーン１６とその下方の近用出力ゾーン１７とを備える、２焦点領域３９を含む。２焦点領域３９は、端面外周２０まで広がるレンズ状領域１９によって囲まれている。主プリズム１２は、中線２に沿った端面外周２０上の点に基底部２１と頂上部２２とを有する。補助プリズム１４は、やはり２焦点領域３９の外周２５上にある、中線２に沿った基底部２３と頂上部２４とを有する。また、２焦点領域３９は、補助プリズム１４の領域にも一致する。眼の入射瞳２６は、遠用出力ゾーン１６の一部分の背面にあり、レンズ１１の幾何中心２７に対して中心合わせされている。レンズ１１は、装着者が遠くの物体をはっきり見るために、下瞼の上縁部１３に関連した位置にあり、近用出力ゾーン１７が遠位視覚に干渉しない。
【００２１】
図２は、図１のコンタクトレンズ１１の構造中線２を通過する平面の断面図であり、眼２８および角膜輪部２９に関連して、球面部分３１と、１つの主プリズム１２と、１つの補助プリズム１４とを示している。前述したように、前面１０は、接合部１８によって隔てられた遠用出力ゾーン１６と近用出力ゾーン１７とを備える２焦点領域３９を含む。２焦点領域３９は、端面外周２０まで広がるレンズ状領域１９によって囲まれている。主プリズム１２は、端面外周２０上に基底部２１と頂上部２２とを有する。補助プリズム１４は、基底部２３と頂上部２４とを有する。入射瞳２６は、遠用ゾーン１６の一部分の背面にあり、レンズの幾何中心２７に対して中心合わせされている。球面コンポーネント３１の理論上の前面が破線３０で、主プリズム１２の理論上の前面が破線３２で示されている。光線の束３４は、入射瞳２６によって制限される。下瞼の縁部１３が、補助プリズム１４の基底部２３に接触している。
【００２２】
図３は、近くの物体を見るために眼が下方に回転した後の図１のコンタクトレンズ１１の平面図である。近用出力ゾーン１７が入射瞳２６の正面にあり、補助プリズム１４の基底部２３が下瞼の縁部１３上にある。
【００２３】
図４は、図３のように眼が下方に回転した後の図１のコンタクトレンズ１１の中線２を通過する平面の断面図である。近用出力ゾーン１７が入射瞳２６の正面にあり、補助プリズム１４の基底部２３が下瞼の縁部１３上にある。コンタクトレンズ１１が上方にシフトすると、近くの物体からの光線の束３５が２焦点領域３９の近用出力ゾーン１７を通過するので、装着者が近くの物体をはっきり見ることができる。
【００２４】
図５は、本発明による２焦点コンタクトレンズ３３の正面図であり、遠用出力ゾーン３６と近用出力ゾーン３７とが合わせて、補助プリズム４１の外周４０よりも小さい外周３８を備えた２焦点領域を構成する。入射瞳２６は、遠くの物体を見るための位置にある、遠用出力ゾーン３６の背面に位置している。
【００２５】
図６は、本発明による２焦点コンタクトレンズ４８の断面図であり、２つの主プリズムと１つの補助プリズム４４とがある。主プリズム４２は、前述したのと同じ機能を有しており、主プリズム４３は、コンタクトレンズの中心の厚さを薄く維持しながら、レンズの位置決めおよび経線方向の回転に及ぼす主プリズムの効果を増大させる機能を有する。２つまたはそれ以上の主プリズムが、コンタクトレンズと瞼の内表面との間の摩擦をより大きなものにして、レンズの位置決めを向上させる。
【００２６】
図７は、本発明による２焦点コンタクトレンズ４９の断面図であり、２つの主プリズムと１つの補助プリズム４５がある。主プリズム４６は、前述したのと同じ機能を有しており、主プリズム４７は、下瞼との接触を軽減し、コンタクトレンズの快適性を改善する機能を有する。
【００２７】
図８は、本発明による２焦点コンタクトレンズ５０の平面図であり、２焦点領域５１が、入射瞳２６に中心合わせされた、中心の遠用ゾーン５２と同心円状の近用出力ゾーン５３とを有する。補助プリズム５４は、レンズ５０の幾何中心５５から上方に偏心している。本発明のこの実施形態では、レンズ５０の遠用出力ゾーン５２が中心位置にあり、近用出力ゾーン５３によって同心円状に囲まれていて、その寸法は、所望の遠位視覚時に近用出力ゾーン５３の上方部分が入射瞳２６の正面に置かれるよう、レンズのシフトがあまり大きくならないように選択される。この構造の利点は、装着者が下方を見つめるときにレンズがいくらか経線方向に回転を起こすことができ、入射瞳２６がなおレンズ５０の近用出力ゾーン５３の一部分によって覆われていることである。それに加え、ゾーン寸法を適切に選択することによって、入射瞳が近用出力ゾーン５３の上方部分で覆われているときに、装着者が遠位視覚のレベルよりも高い位置にある近くの物体をはっきり見ることができる。
【００２８】
図９ａ〜９ｆは、旋削プロセスから成る、本発明による２焦点コンタクトレンズ７０の作製方法を示す。図９ａは、中心線ＭＭ’を有する、固定具（コレット）６１内に設置された非含水形態のソフトコンタクトレンズ材料の標準的なボタン状部材６０を示しており、この固定具６１が、ボタン状部材６０を固定具６１の中心軸ＮＮ’に対して所定の量だけ傾斜させている。図９ｂでは、曲率中心Ｃ３を備えた凹形の基底部曲線６２が、図示していないが当業者には公知の方法を用いて適合目的に望ましい他の曲線と共に形成される。次いで、修正されたボタン状部材６０を取り外し、図９ｃに示すように、ベース曲線６２の曲率中心Ｃ３が軸（アーバ）６５の中心線ＰＰ’からずれるように、成型工具６３上に据え付ける。修正されたボタン状部材６０の基底部曲線６２は、ピッチ６４または他の同様の材料の層によって軸６５に対して成型される。軸６５は、いくつかの工程を必要とするプロセスでは、前面を形成するための旋盤用固定具内に設置される。図９ｄに示す第１工程では、レンズのレンズ状部分の半径よりも大きな半径を用い、レンズの補助プリズム６９の基底部の最前点６６に交わるまで、ボタン状部材全体にわたって一連の切削が実施される。図９ｅの第２工程では、レンズのレンズ状領域の半径を用い、ボタン状部材の端部６７から内側に向かって一連の切削が実施され、この切削は補助プリズムの外周６８の位置で停止する。この結果、帽子形の前面が得られる。図９ｆの第３工程では、修正されたボタン状部材６０が軸６５から取り外され、軸ＰＰ’に沿ってずらせて再成形されて、帽子の基底部の点６６から、レンズ７０のレンズ状部分に隣接した反対側の点７１まで曲面が切削される。ここで、旋盤を使用して、当業者に公知の方法によっていずれかの２焦点形状を形成することができ、これが所望のプリズムパワーの補助プリズム６９を創り出す角度に向けられる。次いで、レンズ７０を取り外して水和して、最終形態にすることができる。
【００２９】
本発明の旋削加工について記載した工程プロセスの代替的な方法は、初めにコンピュータ制御式の多軸旋盤によって読み取るのに適した形式のポイントファイルを計算することである。次いで、そのポイントファイルを使用して、前述したように一連の切削を用いて前面を形成することができる。
【００３０】
本発明の製造に関する他の代替的な方法は、直接旋盤するか又は所望の形状のレンズ表面をかたどることによって初めに金型を準備することである。次いで、その金型を使用して、いずれかの適切な材料製のコンタクトレンズを形成することができる。
【００３１】
本発明に当てはまる全般的な考慮事項がいくつか存在する。
出力ゾーンの表面には、球面、円環面、または非球面（ａｓｐｈｅｒｉｃａｌ）の湾曲部を含めることができる。遠用出力ゾーンと近用出力ゾーンとの間には、１つまたは複数の遷移曲面を設けることができる。
【００３２】
プリズムの経線方向の向きは、基底部を表す、その最大の一定厚さに沿った線によって定義することができ、あるいは、プリズムの最も薄い部分である、頂上部を通過する基底部の垂線によって定義することもできる。この垂線が、基底部−頂上部軸を構成する。
【００３３】
本発明のレンズが眼に装着されると、主プリズムの最も厚い部分がほぼ下方の位置に配置され、主プリズムの基底部−頂上部軸がほぼ鉛直方向に向く。補助プリズムの基底部−頂上部軸は、通常、主プリズムの基底部−頂上部軸と同一方向に構築されるが、眼により良く適合するように所定の角度を成すこともできる。
【００３４】
本発明のコンタクトレンズに組み込まれるプリズムは、レンズを横切る厚さの違いによって表され、これは、屈折異常を補正するために使用されるレンズの光学パワーコンポーネントによって生み出される厚さの変動に加えて生じるものである。レンズを横切るこのプリズム厚さの変化は、通常、基底部−頂上部軸に沿って直線的なものであるが、非直線的な連続または不連続とすることもできる。
【００３５】
本発明の補助プリズムは、眼の上でプリズムの基底部がほぼ下方の位置に配置されて基底部が下瞼に接触またはほぼ接触するように構築される。補助プリズムの重大な特徴は、その基底部が隣接表面から前方に広がっていることである。補助プリズムの頂上部でのレンズ厚さは、レンズの上方の隣接領域の厚さに等しく、またはほぼ等しい。装着者が遠くの物体を見るときには、補助プリズムの基底部が下瞼に接触またはほぼ接触し、主プリズムのレンズを含んでいる部分の下方の領域が下瞼の後ろに位置する。装着者が下方を見ると、補助プリズムの基底部が下瞼の縁部によって所定の位置に保持されるので、レンズが眼に対して上方に移動する。レンズがこのようにシフトするので、眼の入射瞳は、遠位視覚の場合にはコンタクトレンズの遠用出力ゾーンの背後に、近位視覚の場合にはコンタクトレンズの近用出力ゾーンの背後にくる。レンズの上端部付近の部分は、薄く、可撓性があるので、角膜および強膜上を最小限の抵抗力で容易に移動する。
【００３６】
補助プリズムの基底部は、傾斜した形状、扁平な形状、あるいは下瞼の縁部の形状により厳密に一致する形状にすることができる。下瞼の縁部に接触する十分な基底部があれば、レンズのシフトを達成するためには、必ずしも補助プリズム全体が隣接表面から前方に広がる必要はない。
【００３７】
さまざまな眼および瞼の位置の特徴に適合させるために、さまざまな量の主プリズムならびにさまざまな量の補助プリズムが必要なことがある。主プリズム出力には約１プリズムジオプトリ、補助プリズム出力には約１．５プリズムジオプトリで十分な機能が得られることが多いが、レンズパラメータ値が異なる場合、また個々の眼の要求を満たすためには、より大きい／小さい量のプリズムが必要なことがある。
【００３８】
２つまたはそれ以上の補助プリズムの機能は、さまざまな眼の寸法を補償することであり、プリズムの１つが下瞼に接触する最適な位置に配置されやすくなる。
本発明の２焦点コンタクトレンズの背面は、当業者に公知の方法を用いて装着者の角膜に適合するように設計される。一般に、コンタクトレンズの背面の曲率は、角膜の曲率に酷似したものにされる。ただし、レンズの曲率が目的をもって角膜の曲率とは異なるものにされることがあり、これは、角膜の形状、コンタクトレンズの形状、ならびに、角膜上にレンズが乗る位置とレンズの移動とを制御するために加工者が望む相関関係に支配される。
【００３９】
本発明の２焦点レンズは、現在のコンタクトレンズで一般に見られるレンズ状の曲面、スラブオフ、エッジテーパ、または切頭形、ならびに、長円形または他の一般的に公知の外周形状を有することができる。
【００４０】
本発明についてここに記載した原理は、コンタクトレンズに適した任意の光学材料、すなわち、硬質、可撓性、軟質、疎水性、または親水性の材料で作製されたコンタクトレンズに当てはめることができる。ただし、本発明者は、軟質または可撓性のコンタクトレンズ材料として一般に知られているものには、このレンズ設計が最も適していると考えている。
【図面の簡単な説明】
【００４１】
【図１】遠見用の位置で示す、本発明による２焦点コンタクトレンズの正面図である。
【図２】図１のレンズの断面図である。
【図３】近見用の位置にある、図１の２焦点コンタクトレンズの正面図である。
【図４】近見用の位置にある、図１の２焦点コンタクトレンズの断面図である。
【図５】補助プリズムよりも小さな２焦点領域を有する、本発明による２焦点コンタクトレンズの正面図である。
【図６】プリズムパワーの高い第２の主プリズムを有する、本発明による２焦点コンタクトレンズの断面図である。
【図７】プリズムパワーの低い第２の主プリズムを有する、本発明による２焦点コンタクトレンズの断面図である。
【図８】同心円状ゾーンを備えた２焦点領域と、上方に偏心した補助プリズムとを有する、本発明による２焦点コンタクトレンズの正面図である。
【図９】旋削プロセスを有する本発明による２焦点コンタクトレンズの作製方法を示す図である。
【国際公開パンフレット】
2005502072.tif 000003
2005502072.tif 000004
2005502072.tif 000005
2005502072.tif 000006
2005502072.tif 000007
2005502072.tif 000008
2005502072.tif 000009
2005502072.tif 000010
2005502072.tif 000011
2005502072.tif 000012
2005502072.tif 000013
2005502072.tif 000014
2005502072.tif 000015
2005502072.tif 000016
2005502072.tif 000017
2005502072.tif 000018
2005502072.tif 000019
2005502072.tif 000020
2005502072.tif 000021
2005502072.tif 000022
2005502072.tif 000023
2005502072.tif 000024
2005502072.tif 000025
2005502072.tif 000026
2005502072.tif 000027
【国際公開パンフレット（コレクトバージョン）】
2005502072.tif 000028
【国際調査報告】
2005502072.tif 000029